(57)【要約】【課題】  製造が容易でありながら、Ｘ線造影部材の離脱を防ぐことができＸ線透過撮影時における視認性に優れたガーゼを提供すること。【解決手段】  ガーゼ部１は一枚が折り畳み積層され又は複数枚が積層されると共に縫製されてなる。Ｘ線造影部材３０はその幅をガーゼ部２１，２２の織目より幅広のテープ状に形成してある。ガーゼ部２１，２２における積層された層間にＸ線造影部材３０を挿入する。このＸ線造影部材３０の周囲でガーゼ部２１，２２により形成した閉塞部２３にＸ線造影部材３０を配置し、及び／又は、Ｘ線造影部材３０をガーゼ部２１，２２に対し縫い付けることで固定してある。【選択図】    図１
2010240146.tif 000002
【特許請求の範囲】
【請求項１】
ガーゼ部及びＸ線造影部材を備えたガーゼであって、
前記ガーゼ部は一枚が折り畳み積層され又は複数枚が積層されると共に縫製されてなり、前記Ｘ線造影部材はその幅を前記ガーゼ部の織目より幅広のテープ状に形成してあり、前記ガーゼ部における積層された層間に前記Ｘ線造影部材を挿入し、このＸ線造影部材の周囲でガーゼ部により形成した閉塞部にＸ線造影部材を配置し、及び／又は、前記Ｘ線造影部材をガーゼ部に対し縫い付けることで固定してあるガーゼ。
【請求項２】
ガーゼ部，ひも部及びＸ線造影部材を備えたガーゼであって、
前記Ｘ線造影部材はその幅を前記ひも部の織目より幅広のテープ状に形成してあり、前記ひも部は筒状に形成されて前記Ｘ線造影部材を収納し、前記ひも部の端部を縫い、及び／又は、前記Ｘ線造影部材を前記ひも部に対し縫い付けることで固定してあるガーゼ。
【請求項３】
前記Ｘ線造影部材を前記ガーゼ体の外縁の一辺に対し傾斜させて固定した請求項１記載のガーゼ。
【請求項４】
前記Ｘ線造影部材の端部を円弧状に形成してある請求項１〜３のいずれかに記載のガーゼ。
【請求項５】
前記Ｘ線造影部材はスチレン系熱可塑性エラストマーを主成分とし、硫酸バリウムを４５〜７０％含有する請求項１〜４のいずれかに記載のガーゼ。
【請求項６】
請求項１記載のガーゼの製造方法であって、
前記ガーゼ部は一枚を折り畳み積層し又は複数枚を積層すると共に縫製されてなり、前記Ｘ線造影部材のその幅を前記ガーゼ部の織目より幅広のテープ状に形成し、前記ガーゼ部における積層された層間に前記Ｘ線造影部材を配置し、このＸ線造影部材の周囲でガーゼ部を縫って形成した閉塞部にＸ線造影部材を配置し、及び／又は、前記Ｘ線造影部材のガーゼ部に対し縫い付けることで固定するガーゼの製造方法。
【発明の詳細な説明】
【技術分野】
【０００１】
本発明は、外科手術等に用いるガーゼ及びその製造方法に関する。さらに詳しくは、ガーゼ部及びＸ線造影部材を備えたガーゼ及びその製造方法に関する。
【背景技術】
【０００２】
一般に外科手術の際には、手術終了時に手術部位をＸ線透過撮影することで患者の体内残存するガーゼを検出できるように、Ｘ線造影糸を組み込んだガーゼを用いている。このようなガーゼとして、例えば特許文献１に記載の如く、経糸の一部をそのＸ線造影糸で構成している。
【０００３】
しかし、Ｘ線造影糸を他の経糸と共に抜け落ちないように縫い込むには、特別な製造設備が必要で、製造もコスト高となっていた。
【０００４】
しかも、Ｘ線造影糸では、体内で不規則に屈曲することで体組織の一部との明瞭な区別が困難なことも生じうる。
【先行技術文献】
【特許文献】
【０００５】
【特許文献１】特開２００７−１７５２３６号公報
【発明の概要】
【発明が解決しようとする課題】
【０００６】
かかる従来の実情に鑑みて、本発明は、製造が容易であり、Ｘ線透過撮影における視認性の優れたガーゼ及びその製造方法を提供することを目的とする。
【課題を解決するための手段】
【０００７】
上記目的を達成するため、本発明に係るガーゼの特徴は、ガーゼ部及びＸ線造影部材を備えたガーゼにおいて、前記ガーゼ部は一枚が折り畳み積層され又は複数枚が積層されると共に縫製されてなり、前記Ｘ線造影部材はその幅を前記ガーゼ部の織目より幅広のテープ状に形成してあり、前記ガーゼ部における積層された層間に前記Ｘ線造影部材を挿入し、このＸ線造影部材の周囲でガーゼ部により形成した閉塞部にＸ線造影部材を配置し、及び／又は、前記Ｘ線造影部材をガーゼ部に対し縫い付けることで固定してあることにある。
【０００８】
上記構成によれば、Ｘ線造影部材を幅広のテープ状に形成している。したがって、ガーゼの折り曲げに伴う屈曲が容易である。また、ガーゼ部の織目より幅広であるので、Ｘ線造影部材がガーゼの織目を貫通して、ガーゼ体から離脱することがない。また、Ｘ線造影部材の周囲でガーゼ部を縫って形成した閉塞部にＸ線造影部材を配置してあるので、結果として、Ｘ線造影部材がガーゼから離脱することはない。または、テープ状のＸ線造影部材をガーゼ部に対し縫い付けることで、同様にＸ線造影部材をガーゼ体に固定することができる。
【０００９】
図１２は、本発明に係るガーゼの透過撮影画像であり、図１３は、比較のため、Ｘ線造影糸を用いたガーゼの透過撮影画像である。図１２の方が、幅広で体の組織と明らかに違うので視覚的に認識し易いことが伺える。しかも、屈曲することで、狭い部分と広い部分とが交互に入れ替わり、画像としての認識性が更に向上する。
【００１０】
また、本発明に係るガーゼの他の特徴は、ガーゼ部，ひも部及びＸ線造影部材を備えたガーゼにおいて、前記Ｘ線造影部材はその幅を前記ひも部の織目より幅広のテープ状に形成してあり、前記ひも部は筒状に形成されて前記Ｘ線造影部材を収納し、前記ひも部の端部を縫い、及び／又は、前記Ｘ線造影部材を前記ひも部に対し縫い付けることで固定してあることにある。
【００１１】
上記構成によれば、テープ状のＸ線造影部材はひも部の織目より幅広であり、筒状部分に収納されるか縫い付けられているので、ガーゼから離脱することがない。したがって、上記と同様に体内への残留時に発見が容易となる。また、主として体外へ引き出される部分にＸ線造影部材が収納されるので、体内で利用されるガーゼ部の使用感が向上する。
【００１２】
また、前記Ｘ線造影部材を前記ガーゼ体の外縁の一辺に対し傾斜させて固定してもよい。このように配置することで、ガーゼを折り畳んだ場合に、屈曲したＸ線造影部材は互いに重なることがなく、広範囲に渡って撮影されるため、Ｘ線造影部材を確認することがより容易となる。
【００１３】
前記Ｘ線造影部材の端部を円弧状に形成することが望ましい。これにより、使用時に体内の組織の損傷を防止することができる。また、前記Ｘ線造影部材はスチレン系熱可塑性エラストマーを主成分とし、硫酸バリウムを４５〜７０％含有するものを用いるとよい。
【００１４】
上記目的を達成するため、本発明に係るガーゼの製造方法の特徴は、前記ガーゼ部は一枚を折り畳み積層し又は複数枚を積層すると共に縫製されてなり、前記Ｘ線造影部材のその幅を前記ガーゼ部の織目より幅広のテープ状に形成し、前記ガーゼ部における積層された層間に前記Ｘ線造影部材を配置し、このＸ線造影部材の周囲でガーゼ部を縫って形成した閉塞部にＸ線造影部材を配置し、及び／又は、前記Ｘ線造影部材のガーゼ部に対し縫い付けることで固定することにある。
【発明の効果】
【００１５】
上記本発明に係るガーゼ及びその製造方法の特徴によれば、製造が容易でありながら、Ｘ線造影部材の離脱を防ぐことができＸ線透過撮影時における視認性に優れたガーゼを提供することが可能となった。
【００１６】
本発明の他の目的、構成及び効果については、以下の発明の実施の形態の項から明らかになるであろう。
【図面の簡単な説明】
【００１７】
【図１】本発明の第一実施形態に係るガーゼの平面図である。
【図２】図１のＡ−Ａ断面図である。
【図３】図１のＢ−Ｂ断面図である。
【図４】ガーゼの製造工程を説明する図である。
【図５】（ａ）（ｂ）はガーゼの他の実施形態を示す平面図である。
【図６】ガーゼのさらに他の実施形態に係るひも部の部分拡大図である。
【図７】Ｘ線造影部材の変形例を示す拡大図である。
【図８】Ｘ線造影部材の他の変形例を示す拡大図である。
【図９】第一実施形態に係るガーゼを示す写真である。
【図１０】図９の閉塞部近傍の拡大写真である。
【図１１】Ｘ線造影部材を示す写真である。
【図１２】本発明に係るガーゼを利用したＸ線透過撮影画像である。
【図１３】従来技術に係るガーゼを利用したＸ線透過撮影画像である。
【発明を実施するための形態】
【００１８】
次に、図１〜３，９〜１１を参照しながら、本発明に係るガーゼの第一の実施形態についてさらに詳しく説明する。
ガーゼ１は、図１〜３に示すように、ガーゼ体２０とＸ線造影部材３０とひも部４０とを備えている。ガーゼ体２０は略矩形形状を呈し、例えば縦３０ｃｍ×横３０ｃｍ程度の寸法である。Ｘ線造影部材３０はガーゼ体２０の層間に挿入され各縦縫製部Ｓ２，Ｓ５で糸により縫い付けられており、ひも部４０は縫製部Ｓ６でガーゼ体２０の角部に縫い付けられている。また、ひも部４０は、細長いリボン形状を呈している。手術時にひも部４０を体外に位置させることで、ガーゼ１の体内への置き忘れを防止する。
【００１９】
ガーゼ体２０は、上ガーゼ部２１、下ガーゼ部２２及びＸ線造影部材３０を位置させる閉塞部２３とを備えている。この上下ガーゼ部２１，２２は、例えば経糸及び緯糸による織目を有するガーゼを数回折り畳み周縫製部Ｓ１、縦縫製部Ｓ２，横縫製部Ｓ３で縫い付けることにより形成されている。なお、上下ガーゼ部２１，２２は、例えば医療用のガーゼの他、綿、レーヨン等の不織布を用いてもよい。
【００２０】
閉塞部２３は、図１に示すように、周縫製部Ｓ１の一部及び周縫製部Ｓ１の上辺に並行な第２横縫製部Ｓ４とにより、上下ガーゼ部２１，２２の層間に形成される。Ｘ線造影部材３０は、この閉塞部２３に収納され、さらに、先の縦縫製部Ｓ２の上部及びこれに平行な短い第２縦縫製部Ｓ５により上下ガーゼ部２１，２２に縫いつけられ、固定される。
【００２１】
Ｘ線造影部材３０はスチレン系熱可塑性エラストマーを主成分とし、例えばＸ線不透過成分として、硫酸バリウムを望ましくは４５〜７０％、さらに望ましくは５０〜６０％含有する混合物より構成される。このＸ線造影部材３０は織目より幅広のテープ状に形成されているので、ガーゼ１の折り曲げに伴う屈曲が容易である。よって、ガーゼの屈曲状態にかかわらず、容易に確認することができる。また、Ｘ線造影部材３０は上下ガーゼ部２１，２２の織目より幅広であるので、ガーゼ１の織目を貫通してガーゼ体２０から離脱することがない。しかも、テープ状のＸ線造影部材３０を上下ガーゼ部２１，２２に対し縫い付けることで、同様にＸ線造影部材３０をガーゼ体２０に固定することができ、ガーゼ１からの離脱をより確実に防止している。Ｘ線造影部材３０の両方の端部３１は円弧状に形成されており、体内の組織を傷つけることを防止する。
【００２２】
ここで、ガーゼの製造方法について説明する。
まず、図４に示すように、例えば縦３０ｃｍ×横１２８ｃｍの横長のガーゼ体を谷折部５１で折り畳んで積層し、その層間にＸ線造影部材３０を挿入し、谷折部５３に対し垂直となる方向に沿って配置する。そして、谷折部５２と谷折部５３で二折りにする。図１に示すように、上下ガーゼ部２１，２２を各縫製部Ｓ１〜Ｓ５で縫い付け、その一部分でＸ線造影部材３０とを縫い付け固定する。これにより、Ｘ線造影部材３０と上下ガーゼ部２１，２２とを縫い付けるだけでよいため、ガーゼの製造が容易となる。なお、横長の１枚のガーゼ体に限らず、複数枚の略矩形形状のガーゼ体を縫製することもできる。その際には、ガーゼ体を数枚重ねてガーゼ体の四方を縫い合わせる。また、縫製方法としては、ちどり縫いやオーバーロック縫い等がある。
【００２３】
次に、本発明に係るガーゼの他の実施形態について説明する。なお、以下の実施形態において、同様の部材には同一の符号を附してある。
第二実施形態に係るガーゼ１’は、図５（ａ）に示すように、ガーゼ体２０とＸ線造影部材３０を備えている。しかし、ガーゼ１は上記実施形態とは異なりひも部を備えていない。閉塞部２３’は上下ガーゼ部２１，２２の外縁を周縫製部Ｓ１で囲って形成される。そして、Ｘ線造影部材３０は閉塞部２３’においてガーゼ体２０の縦縫製部Ｓ２に対し傾斜して固定されている。縦縫製部Ｓ２で二折りしたガーゼ１’をＸ線造影撮影すると、ガーゼ１’と共にＸ線造影部材３０も折れ曲がり、破線で示すようにＸ線造影部材３０は重ならずにくの字状に表れる。一方、図５（ｂ）は第一の実施形態に係るガーゼ１を縦縫製部Ｓ２で二つ折りにしたものを示す。この場合、折り曲げた各Ｘ線造影部材３０は互いに重なり合うため、全体の半分しか撮影できず、視認性は図５（ａ）の方が良好である。
【００２４】
本発明に係る第三の実施形態は第一実施形態と同様の構成であるが、ひも部４０の形状において異なっている。
【００２５】
図６に示すように、ひも部４０’には、ひも縫製部Ｓ６，Ｓ７によりひも部４０’の中空筒状内に閉塞部４３が形成されている。また、Ｘ線造影部材３０はひも部４０’の織目よりも幅広に形成されている。よって、ひも部４０’は閉塞部４３においてＸ線造影部材３０を収納し、その端部をひも縫製部Ｓ６でガーゼ体２０へ縫い付けることで、Ｘ線造影部材３０がひも部４０’から抜け落ちることを防止する。これにより、不測の事態により手術後にひも部４０’が体内に残った場合でも、Ｘ線造影撮影する際にガーゼ１’’の存在を確認することが容易となる。
【００２６】
最後に、本発明のその他の実施形態の可能性について言及する。
上記各実施形態において、Ｘ線造影部材３０は平滑なテープ状に形成した。しかし、図７，８に示すように、円形の貫通孔３２ａや、矩形形状の貫通孔３２ｂを複数連続的に設けてもよい。同構成によれば、Ｘ線造影撮影する際に、貫通孔３２ａ，３２ｂが体内組織との差異をより明確に視認させるため、Ｘ線造影部材３０ａ，３０ｂの認識性が更に向上する。しかも、貫通孔３２ａ，３２ｂを連続的に設けることで、Ｘ線造影部材３０ａ，３０ｂの柔軟性が向上し、ガーゼの折り畳みに合わせた屈曲がさらに容易となる。なお、貫通孔３２ａ，３２ｂ形状や形成規則は上記に限られるものではなく、適宜変更が可能である。
【００２７】
上記第一，第二実施形態において、Ｘ線造影部材の周囲を各縫製部Ｓ１〜Ｓ７で縫い付けて、ガーゼ体２０の上部や中央に閉塞部２３を形成した。しかし、閉塞部２３の位置、形状及び大きさ等は、ガーゼ１の使用用途に応じて適宜変更可能である。
【００２８】
上記第一，第二実施形態において、Ｘ線造影部材３０を閉塞部２３においてガーゼ体２０に縫い付け固定した。しかし、Ｘ線造影部材３０は閉塞部２３に挿入し、固定することなく移動可能に設けても構わない。また、ひも部４０の閉塞部４３に収納し、固定することなく移動可能に設けても構わない。
【００２９】
上記第一，第二実施形態において、Ｘ線造影部材３０を閉塞部２３に配置するのみならず、各縦縫製部Ｓ２，Ｓ５で縫い付け固定した。しかし、閉塞部２３に配置するか、縫い付け固定するかいずれか一方の固定手段のみによりＸ線造影部材３０を固定しても構わない。ただし、上記第一，第二実施形態の如く、閉塞部２３への配置と縫い付け固定との双方を併用するのがＸ線造影部材３０の離脱防止をより確実に行える点で優れている。
【００３０】
上記各実施形態において、１のＸ線造影部材３０を用いた。しかし、複数のＸ線造影部材３０を用いても構わない。例えば、複数の閉塞部２３にＸ線造影部材３０をそれぞれ配置してもよく、閉塞部２３に複数のＸ線造影部材３０を配置しても構わない。また、閉塞部２３，４３にＸ線造影部材３０をそれぞれ配置することも可能である。なお、上記各実施形態を適宜組み合わせることも選択可能である。
【００３１】
上記各実施形態において、各縫製部Ｓ１〜Ｓ７で糸等を用いて縫い付けた。しかし、糸での縫い付けのみならず、糸を用いない溶着（ヒートシール）等の他の固定手段を用いてもよい。
【００３２】
上記各実施形態において、ガーゼ体及びＸ線造影部材の幅、寸法、形状等はあくまで例示に過ぎず、用途に応じて適宜変更すればよい。
【産業上の利用可能性】
【００３３】
本発明は、手術終了時にＸ線造影撮影することで患者の体内に残存するガーゼを検出するためのＸ線造影部材を縫い付け固定したガーゼ及びその製造方法として利用することができる。
【符号の説明】
【００３４】
１：ガーゼ、２０：ガーゼ体、２１：上ガーゼ部、２２：下ガーゼ部、２３：閉塞部、３０：Ｘ線造影部材、３１：端部、３２ａ，３２ｂ：貫通孔、４０：ひも部、４３：閉塞部、５１〜５３：谷折部、Ｓ１：周縫製部、Ｓ２：縦縫製部、Ｓ３：横縫製部、Ｓ４：第２横縫製部、Ｓ５：第２縦縫製部、Ｓ６，Ｓ７：ひも縫製部
【図１】
2010240146.tif 000003
【図２】
2010240146.tif 000004
【図３】
2010240146.tif 000005
【図４】
2010240146.tif 000006
【図５】
2010240146.tif 000007
【図６】
2010240146.tif 000008
【図７】
2010240146.tif 000009
【図８】
2010240146.tif 000010
【図９】
2010240146.tif 000011
【図１０】
2010240146.tif 000012
【図１１】
2010240146.tif 000013
【図１２】
2010240146.tif 000014
【図１３】
2010240146.tif 000015